(57)【要約】【課題】設計効率を向上した液晶表示装置用パターンレイアウト方法を提供する。【解決手段】数式により設定した素子パラメータを有する回路図の素子パラメータの最適値と数式とのパラメータリストＬを作成する。最適値の素子パラメータに基づいて液晶表示装置用レイアウトパターンを設計する。回路図から回路図用ネットリストを抽出し、この回路図用ネットリストをパラメータリストＬに基づいて数値に置き換えた上で、液晶表示装置用レイアウトパターンから抽出したレイアウトパターン用ネットリストと比較する。回路図を２重に形成することを防止して設計ミスの見逃しを抑制し、設計効率を向上できる。【選択図】図１
2008262386.tif 000002
【特許請求の範囲】
【請求項１】
数式により設定された素子パラメータを有する回路図を作成する回路図作成工程と、
この作成された前記回路図の前記素子パラメータの最適値を決定する最適値決定工程と、
この決定した前記素子パラメータの最適値と、この素子パラメータの数式との対応リストを作成する対応リスト作成工程と、
最適値の前記素子パラメータに基づいて液晶表示装置用レイアウトパターンを設計するレイアウトパターン設計工程と
を具備したことを特徴とした液晶表示装置用パターンレイアウト方法。
【請求項２】
請求項１記載の液晶表示装置用パターンレイアウト方法で作成され素子パラメータの最適値を決定した回路図と前記液晶表示装置用パターンレイアウト方法で設計された液晶表示装置用レイアウトパターンとを比較する液晶表示装置用パターンレイアウト比較方法であって、
前記液晶表示装置用レイアウトパターンからレイアウトパターン用ネットリストを抽出するレイアウトパターン用ネットリスト抽出工程と、
前記回路図から回路図用ネットリストを抽出する回路図用ネットリスト抽出工程と、
前記回路図用ネットリストを、前記液晶表示装置用パターンレイアウト方法で作成された対応リストに基づいて置き換える回路図用ネットリスト置換工程と、
この置き換えた前記回路図用ネットリストを、前記レイアウトパターン用ネットリストと比較する比較工程と
を具備したことを特徴とした液晶表示装置用パターンレイアウト比較方法。
【請求項３】
数式により設定された素子パラメータを有する回路図を作成する回路図作成手段と、
この作成された前記回路図の前記素子パラメータの最適値を決定する最適値決定手段と、
この決定した前記素子パラメータの最適値と、この素子パラメータの数式との対応リストを作成する対応リスト作成手段と、
最適値の前記素子パラメータに基づいて液晶表示装置用レイアウトパターンを設計するレイアウトパターン設計手段と
を具備したことを特徴とした液晶表示装置用パターンレイアウト装置。
【請求項４】
請求項３記載の液晶表示装置用パターンレイアウト装置で作成され素子パラメータの最適値を決定した回路図と前記液晶表示装置用パターンレイアウト装置で設計された液晶表示装置用レイアウトパターンとを比較する液晶表示装置用パターンレイアウト比較装置であって、
前記液晶表示装置用レイアウトパターンからレイアウトパターン用ネットリストを抽出するレイアウトパターン用ネットリスト抽出手段と、
前記回路図から回路図用ネットリストを抽出する回路図用ネットリスト抽出手段と、
前記回路図用ネットリストを、前記液晶表示装置用パターンレイアウト装置で作成された対応リストに基づいて置き換える回路図用ネットリスト置換手段と、
この置き換えた前記回路図用ネットリストを、前記レイアウトパターン用ネットリストと比較する比較手段と
を具備したことを特徴とした液晶表示装置用パターンレイアウト比較装置。
【請求項５】
数式により設定された素子パラメータを有する回路図を作成する回路図作成ステップと、
この作成された前記回路図の前記素子パラメータの最適値を決定する最適値決定ステップと、
この決定した前記素子パラメータの最適値と、この素子パラメータの数式との対応リストを作成する対応リスト作成ステップと、
最適値の前記素子パラメータに基づいて液晶表示装置用レイアウトパターンを設計するレイアウトパターン設計ステップと
を具備したことを特徴とした液晶表示装置用パターンレイアウトプログラム。
【請求項６】
請求項５記載の液晶表示装置用パターンレイアウトプログラムで作成され素子パラメータの最適値を決定した回路図と前記液晶表示装置用パターンレイアウトプログラムで設計された液晶表示装置用レイアウトパターンとを比較する液晶表示装置用パターンレイアウト比較プログラムであって、
前記液晶表示装置用レイアウトパターンからレイアウトパターン用ネットリストを抽出するレイアウトパターン用ネットリスト抽出ステップと、
前記回路図から回路図用ネットリストを抽出する回路図用ネットリスト抽出ステップと、
前記回路図用ネットリストを、前記液晶表示装置用パターンレイアウトプログラムで作成された対応リストに基づいて置き換える回路図用ネットリスト置換ステップと、
この置き換えた前記回路図用ネットリストを、前記レイアウトパターン用ネットリストと比較する比較ステップと
を具備したことを特徴とした液晶表示装置用パターンレイアウト比較プログラム。
【発明の詳細な説明】
【技術分野】
【０００１】
本発明は、回路図に基づき例えば液晶表示装置のアレイ基板などのレイアウトパターンを設計する液晶表示装置用パターンレイアウト方法、回路図とレイアウトパターンとを比較する液晶表示装置用パターンレイアウト比較方法、それらの装置、および、それらのプログラムに関する。
【背景技術】
【０００２】
従来、表示装置として、テレビ表示やグラフィックスディスプレイなどを指向した大型で高密度の液晶表示装置の開発が盛んである。
【０００３】
一般的に、液晶表示装置のアレイ基板のレイアウトパターンを設計する際には、回路シミュレータを利用して、予め液晶アレイ基板上の電位をシミュレーションしながら設計する。
【０００４】
回路シミュレータを用いて電位をシミュレーションするためには、一般にネットリストと呼ばれるファイルを回路シミュレータでの入力とする。このネットリストは、アレイ基板パターンに対応した等価回路と、アレイ基板の駆動波形とを記述したコンピュータ上のファイルである。このような駆動波形のファイルは、例えばＣＡＤシステム上に描画された入力フォームなどに波形を入力することで作成される（例えば、特許文献１参照。）。
【特許文献１】特開２００５−２６７２２８号公報
【発明の開示】
【発明が解決しようとする課題】
【０００５】
最適な設計値を求めるために回路シミュレーションする際の回路図上の素子パラメータは、回路図入力装置などにより変数および数式などにより設定されている。そして、入力波形のデータおよび素子パラメータの掃引(スイープ)の範囲を回路シミュレーションソフトなどに入力し、その結果を検討して設計仕様を満足するように素子パラメータの最適値が決定される。
【０００６】
次いで、上記回路シミュレーションで得られた結果を元に、アレイ基板のレイアウトパターンを設計する。
【０００７】
そして、この設計されたレイアウトパターンが、回路シミュレーションで得られた結果を反映したものとなっているかどうかは、目視では確認しきれない。そのため、設計したアレイ基板のレイアウトパターンの接続情報と回路シミュレーションを実施した回路図の接続情報とを比較する機能を有する液晶表示装置用パターンレイアウト比較装置を使用して、設計されたレイアウトパターンが、回路シミュレーションで得られた結果を反映したものとなっているかどうかを検査する。
【０００８】
しかしながら、上述の回路シミュレーション用の回路図は、素子パラメータが変数および数式などで記載されているので、アレイ基板のレイアウトパターンの接続情報と直接比較することができない。
【０００９】
そこで、一旦回路図をコピーし、素子パラメータを数値に置き換えた後、このコピーした回路図の接続情報とアレイ基板のレイアウトパターンの接続情報とを比較するという流れとなる。
【００１０】
このため、回路シミュレーション用の回路図と、レイアウトパターンとの比較用の回路図との２重に回路図が形成されるので、設計変更があった場合には、両方の回路図を修正する必要がある。すなわち、この状態から例えば派生品の設計を進める場合などには、レイアウトパターンと、比較用の回路図とのみの変更となりやすく、レイアウトパターンと２つの回路図との対応関係が崩れやすくなるため、設計ミスがおき易くなるという問題がある。
【００１１】
本発明は、このような点に鑑みなされたもので、設計効率を向上した液晶表示装置用パターンレイアウト方法、液晶表示装置用パターンレイアウト比較方法、それらの装置、および、それらのプログラムを提供することを目的とする。
【課題を解決するための手段】
【００１２】
本発明は、数式により設定された素子パラメータを有する回路図を作成する回路図作成工程と、この作成された前記回路図の前記素子パラメータの最適値を決定する最適値決定工程と、この決定した前記素子パラメータの最適値と、この素子パラメータの数式との対応リストを作成する対応リスト作成工程と、最適値の前記素子パラメータに基づいて液晶表示装置用レイアウトパターンを設計するレイアウトパターン設計工程とを具備したものである。
【００１３】
また、本発明は、数式により設定された素子パラメータを有する回路図を作成する回路図作成手段と、この作成された前記回路図の前記素子パラメータの最適値を決定する最適値決定手段と、この決定した前記素子パラメータの最適値と、この素子パラメータの数式との対応リストを作成する対応リスト作成手段と、最適値の前記素子パラメータに基づいて液晶表示装置用レイアウトパターンを設計するレイアウトパターン設計手段とを具備したものである。
【００１４】
さらに、本発明は、数式により設定された素子パラメータを有する回路図を作成する回路図作成ステップと、この作成された前記回路図の前記素子パラメータの最適値を決定する最適値決定ステップと、この決定した前記素子パラメータの最適値と、この素子パラメータの数式との対応リストを作成する対応リスト作成ステップと、最適値の前記素子パラメータに基づいて液晶表示装置用レイアウトパターンを設計するレイアウトパターン設計ステップとを具備したものである。
【００１５】
そして、数式により設定された素子パラメータを有する回路図の素子パラメータの最適値と数式との対応リストを作成するとともに、最適値の素子パラメータに基づいて液晶表示装置用レイアウトパターンを設計する。
【発明の効果】
【００１６】
本発明によれば、回路図から回路図用ネットリストを抽出し、この回路図用ネットリストを対応リストに基づいて数値に置き換えた上で、液晶表示装置用レイアウトパターンから抽出したレイアウトパターン用ネットリストと比較することで、回路図が２重に形成されることを防止して設計ミスの見逃しを抑制し、設計効率を向上できる。
【発明を実施するための最良の形態】
【００１７】
以下、本発明の一実施の形態を、図面を参照して説明する。
【００１８】
本実施の形態の液晶表示装置用パターンレイアウト装置および液晶表示装置用パターンレイアウト比較装置となるコンピュータシステムは、図示しないコンピュータを用いて、液晶表示装置としての液晶パネルのアレイ基板のレイアウトパターンの設計および設計されたレイアウトパターンの接続情報と回路図の接続情報との比較などをするＣＡＤシステムで、コンピュータの他に、表示手段であるモニタ、入力手段であるキーボードおよびマウスなどを備えている。
【００１９】
コンピュータには、所定のサイズで描かれたアレイ基板のレイアウトパターンを保存および読み出し可能な記憶手段としてのハードディスクと、一時記憶手段としてのメモリ、各種処理をする制御手段としてのＣＰＵなどが設けられている。
【００２０】
また、このコンピュータは、アレイ基板の回路図を作成する回路図作成手段、選択した端子群の配置構成を認識する認識手段、配線接続の可否を演算する演算手段、端子群間に配線パターンを発生させるパターン発生手段、配線パターンの抵抗値を演算する抵抗値計算手段、作成した回路図の各素子パラメータの最適値を決定するための最適値決定手段および素子パラメータと決定した最適値との対応リストであるパラメータリストＬを作成するための対応リスト作成手段、この最適値を決定した回路図に基づいてアレイ基板のレイアウトパターンの設計などに用いるレイアウトパターン設計手段などを機能として有している。
【００２１】
さらに、このコンピュータは、アレイ基板のレイアウトパターンからレイアウトパターン用ネットリストを抽出するレイアウトパターン用ネットリスト抽出手段、回路図から回路図用ネットリストを抽出する回路図用ネットリスト抽出手段、回路図用ネットリストをパラメータリストＬに基づいて置き換える回路図用ネットリスト置換手段、および、回路図用ネットリストをレイアウトパターン用ネットリストと比較する比較手段などを機能として有している。
【００２２】
次に、上記一実施の形態の液晶表示装置用パターンレイアウトプログラムおよび液晶表示装置用パターンレイアウト比較プログラムにより実行される処理を、図１のフローチャートを参照しながら詳細に説明する。
【００２３】
まず、図２に示すように、変数および数式により設定された素子パラメータを有する回路シミュレーション用の回路図を作成する(ステップ１(回路図作成工程))。
【００２４】
本実施の形態では、例えばｐチャネルＭＯＳＦＥＴp1とｎチャネルＭＯＳＦＥＴn1とを接続したＣ−ＭＯＳC1と、ｐチャネルＭＯＳＦＥＴp2とｎチャネルＭＯＳＦＥＴn2とを接続したＣ−ＭＯＳC2とを備えた回路を対象とし、各ＭＯＳＦＥＴp1，p2，n1，n2のそれぞれのゲート幅をWp1，Wp2，Wn1，Wn2、ゲート長さをLp1，Lp2，Ln1，Ln2としたとき、Wp1＝Wn1＝aaa、Lp1＝Ln1＝aaa/2、Wp2＝Wn2＝bbb、Lp2＝Ln2＝bbb/2(aaa、bbbはそれぞれ変数)とする。
【００２５】
次いで、入力波形データ、素子パラメータのスイープ範囲の数値である入力波形データパラメータＰを入力し(ステップ２(掃引工程))、その結果を検討する(ステップ３(検討工程))。
【００２６】
ここで、ステップ２のスイープ範囲としては、本実施の形態において、例えば変数aaaの初期値を１μｍ、上限値を１００μｍ、それらの間のステップを１μｍとし、変数bbbの初期値を２０μｍ、上限値を５００μｍ、それらの間のステップを１０μｍとする。
【００２７】
そして、ステップ２の回路シミュレーションの結果が設計仕様を満足するかどうかを判断し(ステップ４(検討工程))、満足する結果が得られていない場合には、ステップ１に戻り、満足する結果が得られた場合には、その値を素子パラメータの最適値とする(ステップ５(最適値決定工程))。
【００２８】
さらに、素子パラメータ(変数、数式)と決定した設計値との対応リストであるパラメータリストＬ(図３)を作成する(ステップ６(対応リスト作成工程))。
【００２９】
次いで、図４に示すように、決定した設計値を元にアレイ基板のレイアウトパターンを設計する(ステップ７(レイアウトパターン設計工程))。
【００３０】
そして、設計したアレイ基板のレイアウトパターンが設計仕様どおりであるかどうかを確認するために、アレイ基板のレイアウトパターンと回路シミュレーション用の回路図との接続情報を比較する(ステップ８(接続情報比較工程))。
【００３１】
ここで、アレイ基板のレイアウトパターンと回路シミュレーション用の回路図との接続情報が同じであるかどうかを確認し(ステップ９(接続情報確認工程))、同じでない場合には、アレイ基板のレイアウトパターン、あるいは回路シミュレーション用の回路図をチェックおよび修正して(ステップ10(修正工程))、ステップ９に戻り、同じである場合には終了する。
【００３２】
次に、上記ステップ８での処理を、図５に示すフローチャートを参照してさらに詳細に説明する。
【００３３】
まず、最初にアレイ基板のレイアウトパターンからレイアウトパターン用ネットリストを抽出する(ステップ11(レイアウトパターン用ネットリスト抽出工程))。
【００３４】
続いて、回路シミュレーション用の回路図から回路図用ネットリストを抽出する(ステップ12(回路図用ネットリスト抽出工程))。
【００３５】
さらに、回路シミュレーション用の回路図から抽出した回路図用ネットリストに、上記ステップ６で作成したパラメータリストＬを代入し、回路図用ネットリスト中の変数および数式の全てを、回路シミュレーションから求めた最適値に置き換える(ステップ13(回路図用ネットリスト置換工程))。
【００３６】
その後、ステップ13にて置き換えた回路図用ネットリストと、レイアウトパターン用ネットリストとを比較する(ステップ14(比較工程))。
【００３７】
上述したように、上記一実施の形態では、数式により設定された素子パラメータを有する回路図の素子パラメータの最適値と変数および数式とのパラメータリストＬを作成するとともに、最適値の素子パラメータに基づいてレイアウトパターンを設計する構成とした。
【００３８】
このため、回路図から回路図用ネットリストを抽出し、この回路図用ネットリストをパラメータリストＬに基づいて数値に置き換えた上で、液晶表示装置用レイアウトパターンから抽出したレイアウトパターン用ネットリストと比較することで、接続情報の比較機能の中で生成されたネットリストでのみ回路の素子パラメータが数値化されるので、回路シミュレーション用の回路図と、レイアウトパターンとの比較用(ＬＶＳ(Layout Versus Schematics)用)の回路図とを別個に作成することなく１つで済ませることができ、回路図が２重に形成されることを防止できる。
【００３９】
この結果、回路シミュレーション用の回路図と比較用の回路図とを別個に作成する従来の場合では、派生品設計が進むうちに回路シミュレーション用回路図と比較用の回路図との対応が崩れることがあったのに対して、本実施の形態では、回路図が２重に形成されることがなくなるため、設計ミスの見逃しを抑制でき、設計効率の向上を図ることが可能になる。
【００４０】
なお、上記一実施の形態の液晶表示装置用パターンレイアウトプログラムおよび液晶表示装置用パターンレイアウト比較プログラムを、光ディスク、あるいは磁気ディスクその他の媒体にコンピュータ読み取り可能に記録し、コンピュータに自動的に動作させることも可能である。
【００４１】
また、設計する回路図は、上記のような回路図の他にも任意のものが可能であることはいうまでもない。
【図面の簡単な説明】
【００４２】
【図１】本発明の一実施の形態の液晶表示装置用パターンレイアウト方法および液晶表示装置用パターンレイアウト比較方法の処理を示すフローチャートである。
【図２】同上回路シミュレーション用の回路を示す回路図である。
【図３】同上素子パラメータの変数および数式と素子パラメータの最適値との対応リストを示す表である。
【図４】同上液晶表示装置用レイアウトパターンを示す説明平面図である。
【図５】同上ステップ８の動作を示すフローチャートである。
【符号の説明】
【００４３】
Ｌ    対応リストとしてのパラメータリスト
【図１】
2008262386.tif 000003
【図２】
2008262386.tif 000004
【図３】
2008262386.tif 000005
【図４】
2008262386.tif 000006
【図５】
2008262386.tif 000007